(57)【特許請求の範囲】
【請求項１】
最下階の床が土間コンクリートの既存建物の基礎下免震化にあたり、土間コンクリート床を撤去することなくサポートにより支えて、基礎に隣位した床下地盤を部分的に掘削・排除し、掘削後に基礎梁の補強を行って床下地盤の掘削を中央部に拡張しながら土間コンクリート床を、その下側に配設した所定間隔ごとの受け鉄骨により支持するとともに、基礎梁を側面に打設したコンクリートにより補強し、しかるのち圧入した底盤補強用杭により補強基礎梁を仮り受けして床下地盤の掘下げを基礎下地盤と共に行い、その地盤の掘削面にコンクリートを打設して底盤を新設したのち、基礎下の既存杭を切断・撤去して基礎と底盤との間に免震装置を設置し、上記底盤補強用杭を切断・撤去して既存建物の荷重を免震装置を介して底盤に伝達するように構成してなることを特徴とする既存建物の基礎下免震構法。
【発明の詳細な説明】
【０００１】
【発明の属する技術分野】
この発明は、最下階の床が土間コンクリートの場合の既存建物の基礎下免震構法に関するものである。
【０００２】
【従来の技術】
既存建物で免震化する最下階の床が土間コンクリートの場合、従来では室内側から土間コンクリート床を解体・撤去し、床下地盤を掘削しながら底盤コンクリートの打設、地中の基礎の梁補強、躯体の仮受けの順に既存建物の免震化を行っている。
【０００３】
図１０から図１３は、上記従来構法を工程順に説明するもので、先ず図１０に示すように、室内から土間コンクリート床１を解体・撤去して、基礎２，２の間の床下地盤を既存杭３，３の間の地盤を残して所要深さまで掘削・排除する。
【０００４】
次に図１１に示すように、基礎梁４の両側に基礎梁補強５を施してから、掘削部位の地盤に、後に仮受け杭となる複数本の底盤補強用杭６を梁下に等間隔に圧入して、基礎下の掘り残した地盤を掘削・撤去する。
これまでと同様な工程を隣接地盤にも施工したのち、図１２に示すように、底盤７のコンクリートを打設し、基礎下の上記既存杭３を底盤７の上面から切断・撤去して、基礎２と底盤７との間に免震装置設置スペースを確保する。
【０００５】
しかるのち、図１３に示すように、基礎２の下面と底盤７の上面とにコンクリート受座８を打設して、その間に免震装置９を設置し、上記底盤補強用杭６を底盤７の上面から切断・撤去して、既設建物の荷重を免震装置９が受けるようにしている。そして最後に基礎梁上に鉄筋コンクリートスラブ１０の打設による新設を行っている。
【０００６】
【発明が解決しようとする課題】
このような従来構法では、免震化の工事が全て室内側から行われるため、床下の工事であっても、居ながらの施工ができなくなり、工事範囲は建物を使用できなくなるので、工事期間中は他に引っ越しなければならず、この結果、短い工事期間であっても、その準備や通知など余分な仕事が増えたり、工事費以外に引越費用等のコストもかかる。また既存建物が美術館や展示館等では閉館を余儀なくされるなどの不都合も生ずる。さらにまた解体・撤去した土間コンクリート床の廃棄処理も必要となり、環境配慮の点からも課題を有するものであった。
【０００７】
この発明は、上記従来構法の課題を解決するために考えられたものであって、その目的は、免震化に際する土間コンクリート床の構造体化及び地中の基礎や梁の補強を、全て床下から行うことによって、居ながらの施工を可能とする新たな既存建物の基礎下免震構法を提供することにある。
【０００８】
【課題を解決するための手段】
上記目的によるこの発明は、最下階の床が土間コンクリートの既存建物の基礎下免震化にあたり、土間コンクリート床を撤去することなくサポートにより支えて、基礎に隣位した床下地盤を部分的に掘削・排除し、掘削後に基礎梁の補強を行って床下地盤の掘削を中央部に拡張しながら土間コンクリート床を、その下側に配設した所定間隔ごとの受け鉄骨により支持するとともに、基礎梁を側面に打設したコンクリートにより補強し、しかるのち圧入した底盤補強用杭により補強基礎梁を仮り受けして床下地盤の掘下げを基礎下地盤と共に行い、その地盤の掘削面にコンクリートを打設して底盤を新設したのち、基礎下の既存杭を切断・撤去して基礎と底盤との間に免震装置を設置し、上記底盤補強用杭を切断・撤去して既存建物の荷重を免震装置を介して底盤に伝達するように構成してなる、というものである。
【０００９】
このような構成からなるこの発明では、免震化の諸工事が最下階のコンクリート床を撤去することなく、全て床下にて行われることになるので、既存建物であっても居ながらにして免震化を完工することができる。この結果、工事期間中の引っ越しが不要となることから、美術館等の免震化に好適であり、また既存の土間コンクリートの解体・撤去による廃材も生じないので、廃材処理費用も殆ど要せず、施工費以外にも諸費用がかかる従来構法に比べて、既存建物の免震化を低コストで行うことができ、環境にも配慮した構法となる。
【００１０】
【発明の実施の形態】
図１から図９図は、この発明に係る既存建物の基礎下免震構法の１実施形態の工程を順に示す説明図である。以下この発明を図示の工程順に詳説する。
【００１１】
図１及び図２、先ず既存建物の外側の地盤を部分的に掘削する。次に土間コンクリート床１１をそのままにして、基礎１２に隣位した床下地盤を、既設杭１３の上部を含む鎖線範囲まで外側の地盤に続けて所要深さまで掘削する。この掘削はサポート１５を立設して上記土間コンクリート床１１を支えながら行う。掘削後に基礎梁１４の上下側面にアンカー１６を所定間隔ごとに施す。この最初の掘削部位を掘削土の排出や資材の搬入等の出入口として、土間コンクリート床下の以後の諸工事を進めてゆく。
【００１２】
図３及び図４、上記土間コンクリート床１１の受けを兼ねる基礎梁補強鉄骨１７を上記アンカー１６により固定して基礎梁１４の側面に取付ける。さらに基礎梁補強鉄骨１７の下に補強鉄骨架台１８を設置する。これまでの工程を１×１スパン４周の基礎梁１４について施工する。
【００１３】
図５、上記土間コンクリート床１１のスパン中央部へと床下地盤の掘削を拡張しながら、土間コンクリート床１１の下側に受け鉄骨１９を上記基礎梁補強鉄骨１７から所定間隔ごとに配設し、これを上記サポート１５の先に立設した受け鉄筋サポート２０により支持する。
【００１４】
図６及び図７、各基礎梁側面の基礎梁補強鉄骨１７の部位に基礎梁補強コンクリート２１を打設する。梁下に底盤補強用杭２２を圧入して基礎梁１４と基礎梁補強コンクリート２１とを仮り受してから、床下地盤の掘下げを所定深さまで行って排除する。このときに掘り残した基礎下の地盤も掘削・排除する。掘削後に地盤の掘削面にコンクリート打設を行って底盤２３を新設する。
【００１５】
図８、基礎下の上記既存杭１３を底盤７の上面から切断・撤去して、基礎１２と底盤２３との間に免震装置設置スペースを確保する。
図９、次に基礎１２の下面と底盤２３の上面とにコンクリート受座２４を打設して、その間に免震装置２５を設置し、その後で上記底盤補強用杭２２を底盤２３の上面から切断・撤去する。これにより既存建物の荷重は免震装置２５を介して底盤２３に伝達されるようになり、地震による震動は免震装置２５により減衰されて既存建物は耐震性に優れたものとなる。
【図面の簡単な説明】
【図１】  この発明に係る既存建物の基礎下免震構法における床下地盤の掘削状態図である。
【図２】  同上の平面図である。
【図３】  基礎梁にアンカー及び土間コンクリート床受け兼用の基礎梁補強鉄骨を設置した際の状態図である。
【図４】  同上の側面図である。
【図５】  受け鉄筋及び受け鉄筋サポートの配置後の地盤掘削状態図である。
【図６】  基礎梁補強コンクリートと底盤コンクリートの打設状態図である。
【図７】  同上の平面図である。
【図８】  基礎下地盤の掘削・撤去と既存杭の切断状態を示す図である。
【図９】  基礎と打設底盤との間に免震装置を設置した状態を示すである。
【図１０】  従来の基礎下免震構法における床下地盤の掘削状態図である。
【図１１】  基礎梁補強及び仮受杭の施工状態図である。
【図１２】  底盤コンクリート打設後の既存杭切断状態を示す図である。
【図１３】  仮受杭切断撤去後の免震装置の設置状態図である。
【符号の説明】
１１    土間コンクリート床
１２    基礎
１３    既設杭
１４    基礎梁
１５    サポート
１６    アンカー
１７    基礎梁補強鉄骨
１８    補強鉄骨受架台
１９    受け鉄骨
２０    受け鉄骨サポート
２１    基礎梁補強コンクリート
２２    底盤補強用杭
２３    底盤
２４    コンクリート受座
２５    免震装置
【図１】
0003706997.tif 000002
【図２】
0003706997.tif 000003
【図３】
0003706997.tif 000004
【図４】
0003706997.tif 000005
【図５】
0003706997.tif 000006
【図６】
0003706997.tif 000007
【図７】
0003706997.tif 000008
【図８】
0003706997.tif 000009
【図９】
0003706997.tif 000010
【図１０】
0003706997.tif 000011
【図１１】
0003706997.tif 000012
【図１２】
0003706997.tif 000013
【図１３】
0003706997.tif 000014